(57)【特許請求の範囲】
【請求項１】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、
該ＴＦＴ基板に、該データバスラインと並行かつ該複数本のゲートバスラインと交差する補助バスラインと、該ＴＦＴ基板の表示領域外で該複数本のデータバスラインと複数本のゲートバスラインおよび補助バスラインのそれぞれの長さ方向の両端部と交差するリペアバスラインが形成され、
該複数本のデータバスラインと複数本のゲートバスラインと補助バスラインおよびリペアバスラインが、それぞれの交差部で絶縁層を介して重なること、
を特徴とする液晶表示装置。
【請求項２】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、
該データバスラインに並行かつ該複数本のゲートバスラインと交差する補助バスラインと、該ＴＦＴ基板の表示領域外で該複数本のゲートバスラインの整列方向に延在し、かつ、該複数本のデータバスラインの両外側に配設された一対の第１のリペアバスラインとが、該データバスライン形成用導電膜から形成され、
該ゲートバスラインに並行して該表示領域外で該複数本のデータバスラインの整列方向に延在し、該一対の第１のリペアバスラインの長さ方向の両端部が交差し、該複数本のゲートバスラインの両外側に配設された一対の第２のリペアバスラインが、該ゲートバスライン形成用導電膜から形成され、
該複数本のデータバスラインと複数本のゲートバスラインと補助バスラインと第１のリペアバスラインおよび第２のリペアバスラインが、それぞれの交差部で絶縁層を介して重なり、該一対の第１のリペアバスラインと一対の第２のリペアバスラインが、その交差部で電気的に接続されてなること、
を特徴とする液晶表示装置。
【請求項３】
前記補助バスラインが、全ての前記データバスラインに沿って形成されてなること、
を特徴とする請求項１または２記載の液晶表示装置。
【請求項４】
前記補助バスラインの形成によって狭小化された前記画素電極に合わせて、全ての画素電極の大きさを同じにしたこと、
を特徴とする請求項１または２記載の液晶表示装置。
【請求項５】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各データバスラインの両端から電圧を供給し駆動される液晶表示装置において、
該ＴＦＴ基板に、該ゲートバスラインと並行かつ該複数本のデータバスラインと交差する補助バスラインと、該ＴＦＴ基板の表示領域外で該複数本のゲートバスラインと複数本のデータバスラインおよび補助バスラインのそれぞれの長さ方向の両端部と交差するリペアバスラインが形成され、
該複数本のデータバスラインと複数本のゲートバスラインと補助バスラインおよびリペアバスラインが、それぞれの交差部で絶縁層を介して重なること、
を特徴とする液晶表示装置。
【請求項６】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、
該ゲートバスラインに並行かつ該複数本のデータバスラインと交差する補助バスラインと、該ＴＦＴ基板の表示領域外で該複数本のデータバスラインの整列方向に延在し、かつ、該複数本のゲートバスラインの両外側に配設された一対の第１のリペアバスラインとが、該ゲートバスライン形成用導電膜から形成され、
該データバスラインに並行して該表示領域外で該複数本のゲートバスラインの整列方向に延在し、該一対の第１のリペアバスラインの長さ方向の両端部が交差し、該複数本のデータバスラインの両外側に配設された一対の第２のリペアバスラインが、該データバスライン形成用導電膜から形成され、
該複数本のゲートバスラインと複数本のデータバスラインと補助バスラインと第１のリペアバスラインおよび第２のリペアバスラインが、それぞれの交差部で絶縁層を介して重なり、該一対の第１のリペアバスラインと一対の第２のリペアバスラインが、その交差部で電気的に接続されてなること、
を特徴とする液晶表示装置。
【請求項７】
前記補助バスラインが、全ての前記ゲートバスラインに沿って形成されてなること、
を特徴とする請求項５または６記載の液晶表示装置。
【請求項８】
前記補助バスラインの形成によって狭小化された前記画素電極に合わせて、全ての画素電極の大きさを同じにしたこと、
を特徴とする請求項５または６記載の液晶表示装置。
【請求項９】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインおよび各データバスラインの両端から電圧を供給し駆動される液晶表示装置において、
該ＴＦＴ基板に、該データバスラインと並行かつ該複数本のゲートバスラインと交差する第１の補助バスラインと、該ゲートバスラインと並行かつ該複数本のデータバスラインと交差する第２の補助バスラインと、該ＴＦＴ基板の表示領域外で該複数本のデータバスラインと複数本のゲートバスラインと該第１の補助バスラインおよび第２の補助バスラインのそれぞれの長さ方向の両端部と交差する少なくとも１本のリペアバスラインが形成され、
該複数本のゲートバスラインと複数本のデータバスラインと第１の補助バスラインと第２の補助バスラインおよびリペアバスラインが、それぞれの交差部で絶縁層を介して重なること、
を特徴とする液晶表示装置。
【請求項１０】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインおよび各データバスラインの両端から電圧を供給し駆動される液晶表示装置において、
該データバスラインに並行かつ該複数本のゲートバスラインと交差する第１の補助バスラインと、該ＴＦＴ基板の表示領域外で該複数本のゲートバスラインの整列方向に延在し、かつ、該複数本のデータバスラインの両外側に少なくとも１本ずつ配設された第１のリペアバスラインとが、該データバスライン形成用導電膜から形成され、
該ゲートバスラインに並行かつ該複数本のデータバスラインと交差する第２の補助バスラインと、該表示領域外で該複数本のデータバスラインの整列方向に延在し、該一対の第１のリペアバスラインの長さ方向の両端部が交差し、該複数本のゲートバスラインの両外側に少なくとも１本ずつ配設された第２のリペアバスラインとが、該ゲートバスライン形成用導電膜から形成され、
該複数本のデータバスラインと複数本のゲートバスラインと第１の補助バスラインと第２の補助バスラインと第１のリペアバスラインおよび第２のリペアバスラインが、それぞれの交差部で絶縁層を介して重なり、
該表示領域から外側に同一順位にある該第１のリペアバスラインと第２のリペアバスラインが、その交差部で電気的に接続されてなること、
を特徴とする液晶表示装置。
【請求項１１】
前記第１の補助バスラインが全ての前記データバスラインに沿って形成され、前記第２の補助バスラインが全ての前記ゲートバスラインに沿って形成されてなること、
を特徴とする請求項９または１０記載の液晶表示装置。
【請求項１２】
前記第１の補助バスラインおよび第２の補助バスラインの形成によって狭小化された前記画素電極に合わせて、全ての画素電極の大きさを同じにしたこと、
を特徴とする請求項９または１０記載の液晶表示装置。
【請求項１３】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、
該ＴＦＴ基板に、該データバスラインと並行、かつ、該データバスラインの長さ方向の中央部から該データバスラインの一端に向けて延伸しその間に配設された該ゲートバスラインと交差する第１の補助バスラインと、該データバスラインと並行、かつ、該中央部から該データバスラインの他端に向けて延伸しその間に配設された該ゲートバスラインと交差する第２の補助バスラインと、該ＴＦＴ基板の表示領域外で、該第１の補助バスラインが交差する該複数本のゲートバスラインの両端と該複数本のデータバスラインの該一端とに交差する第１のリペアバスラインと、該表示領域外で、該第２の補助バスラインが交差する該複数本のゲートバスラインの両端と該複数本のデータバスラインの該他端とに交差する第２のリペアバスラインが形成され、
該複数本のデータバスラインと複数本のゲートバスラインと第１の補助バスラインと第２の補助バスラインと第１のリペアバスラインおよび第２のリペアバスラインが、それぞれの交差部で絶縁層を介して重なること、
を特徴とする液晶表示装置。
【請求項１４】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、
該データバスラインに並行かつ該複数本のゲートバスラインと交差し、かつ、該データバスラインの長さ方向の中央部から該データバスラインの一端に向けて延伸する第１の補助バスラインと、該データバスラインと並行かつ該複数本のゲートバスラインと交差し、かつ、該データバスラインの長さ方向の中央部から該データバスラインの他端に向けて延伸する第２の補助バスラインと、該ＴＦＴ基板の表示領域外で該第１の補助バスラインが交差する複数本のゲートバスラインの長さ方向の両端部がそれぞれ交差する一対の第１のリペアバスラインと、該表示領域外で該第２の補助バスラインが交差する複数本のゲートバスラインの長さ方向の両端部がそれぞれ交差する一対の第２のリペアバスラインが、該データバスライン形成用導電膜から形成され、
該ゲートバスラインに並行し該表示領域外で該複数本のデータバスラインの両端部がそれぞれ交差する一対の第３のリペアバスラインが、該ゲートバスライン形成用導電膜から形成され、
該複数本のデータバスラインと複数本のゲートバスラインと一対の第１のリペアバスラインと一対の第２のリペアバスラインおよび一対の第３のリペアバスラインが、それぞれの交差部で絶縁層を介して重なり、
該一対の第１のリペアバスラインと第３のリペアバスラインおよび該一対の第２のリペアバスラインと第３のリペアバスラインが、その交差部で電気的に接続されてなること、
を特徴とする液晶表示装置。
【請求項１５】
前記第１、第２の補助バスラインが全ての前記データバスラインに沿って形成されてなること、
を特徴とする請求項１３または１４記載の液晶表示装置。
【請求項１６】
前記第１、第２の補助バスラインの形成によって狭小化された前記画素電極に合わせて、全ての画素電極の大きさを同じにしたこと、
を特徴とする請求項１３または１４記載の液晶表示装置。
【請求項１７】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各データバスラインの両端から電圧を供給し駆動される液晶表示装置において、
該ＴＦＴ基板に、該ゲートバスラインと並行、かつ、該ゲートバスラインの長さ方向の中央部から該ゲートバスラインの一端に向けて延伸しその間に配設された該データバスラインと交差する第１の補助バスラインと、該ゲートバスラインと並行、かつ、該中央部から該ゲートバスラインの他端に向けて延伸しその間に配設された該データバスラインと交差する第２の補助バスラインと、該ＴＦＴ基板の表示領域外で、該第１の補助バスラインが交差する該複数本のデータバスラインの両端と該複数本のゲートバスラインの該一端とに交差する第１のリペアバスラインと、該表示領域外で、該第２の補助バスラインが交差する該複数本のデータバスラインの両端と該複数本のゲートバスラインの該他端とに交差する第２のリペアバスラインが形成され、
該複数本のデータバスラインと複数本のゲートバスラインと第１の補助バスラインと第２の補助バスラインと第１のリペアバスラインおよび第２のリペアバスラインが、それぞれの交差部で絶縁層を介して重なること、
を特徴とする液晶表示装置。
【請求項１８】
薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各データバスラインの両端から電圧を供給し駆動される液晶表示装置において、
該ゲートバスラインに並行かつ該複数本のデータバスラインと交差し、かつ、該ゲートバスラインの長さ方向の中央部から該ゲートバスラインの一端に向けて延伸する第１の補助バスラインと、該ゲートバスラインと並行かつ該複数本のデータバスラインと交差し、かつ、該中央部から該ゲートバスラインの他端に向けて延伸する第２の補助バスラインと、該ＴＦＴ基板の表示領域外で該第１の補助バスラインが交差する複数本のデータバスラインの長さ方向の両端部がそれぞれ交差する一対の第１のリペアバスラインと、該表示領域外で該第２の補助バスラインが交差する複数本のデータバスラインの長さ方向の両端部がそれぞれ交差する一対の第２のリペアバスラインが、該ゲートバスライン形成用導電膜から形成され、
該データバスラインに並行し該表示領域外で該複数本のゲートバスラインの両端部がそぞれ交差する一対の第３のリペアバスラインが、該データバスライン形成用導電膜から形成され、
該複数本のデータバスラインと複数本のゲートバスラインと第１の補助バスラインと第２の補助バスラインと一対の第１のリペアバスラインと一対の第２のリペアバスラインおよび一対の第３のリペアバスラインが、それぞれの交差部で絶縁層を介して重なり、
該一対の第１のリペアバスラインと第３のリペアバスラインおよび該一対の第２のリペアバスラインと第３のリペアバスラインが、その交差部で電気的に接続されてなること、
を特徴とする液晶表示装置。
【請求項１９】
前記第１、第２の補助バスラインが全ての前記ゲートバスラインに沿って形成されてなること、
を特徴とする請求項１７または１８記載の液晶表示装置。
【請求項２０】
前記第１、第２の補助バスラインの形成によって狭小化された前記画素電極に合わせて、全ての画素電極の大きさを同じにしたこと、
を特徴とする請求項１７または１８記載の液晶表示装置。
【請求項２１】
請求項１記載の液晶表示装置において、不本意に切断された前記ゲートバスラインと前記補助バスライン、該切断されたゲートバスラインと前記リペアバスライン、該補助バスラインと該リペアバスラインを、それぞれの交差部における前記絶縁層を溶解せしめる溶接で接続させること、
を特徴とするバスライン断線の処理方法。
【請求項２２】
請求項２記載の液晶表示装置において、不本意に切断された前記ゲートバスラインと前記補助バスライン、該切断されたゲートバスラインと前記一対の第１のリペアバスライン、該補助バスラインと前記一対の第２のリペアバスラインを、それぞれの交差部における前記絶縁層を溶解せしめる溶接で接続させること、
を特徴とするバスライン断線の処理方法。
【請求項２３】
請求項５記載の液晶表示装置において、不本意に切断された前記データバスラインと前記補助バスライン、該切断されたデータバスラインと前記リペアバスライン、該補助バスラインと該リペアバスラインを、それぞれの交差部における前記絶縁層を溶解せしめる溶接で接続させること、
を特徴とするバスライン断線の処理方法。
【請求項２４】
請求項６記載の液晶表示装置において、不本意に切断された前記データバスラインと前記補助バスライン、該切断されたデータバスラインと前記一対の第１のリペアバスライン、該補助バスラインと前記一対の第２のリペアバスラインを、それぞれの交差部における前記絶縁層を溶解せしめる溶接で接続させること、
を特徴とするバスライン断線の処理方法。
【請求項２５】
請求項９記載の液晶表示装置において、不本意に切断された前記ゲートバスラインと前記第１の補助バスラインと１本の前記リペアバスライン、または不本意に切断された前記データバスラインと前記第２の補助バスラインと１本の前記リペアバスラインを、それぞれの交差部で前記絶縁層を溶解せしめる溶接で接続させること、
を特徴とするバスライン断線の処理方法。
【請求項２６】
請求項１０記載の液晶表示装置において、不本意に切断された前記ゲートバスラインと前記第１の補助バスラインまたは不本意に切断された前記データバスラインと前記第２の補助バスライン、該切断されたデータバスラインと前記第２のリペアバスラインまたは該切断されたゲートバスラインと前記第１のリペアバスライン、該第２の補助バスラインと該第１のリペアバスラインまたは該第１の補助バスラインと該第２のリペアバスラインを、それぞれの交差部で前記絶縁層を溶解せしめる溶接で接続させること、
を特徴とするバスライン断線の処理方法。
【請求項２７】
請求項２１〜２６記載の溶接が、レーザ光照射であること、
を特徴とするバスライン断線の処理方法。
【発明の詳細な説明】
【０００１】
【発明の属する技術分野】
本発明は、ＴＦＴをマトリクス状に配設し、ゲートバスラインまたはデータバスラインまたはその双方の両端から電圧を供給し駆動されるアクティブマトリクス型液晶表示装置と、そのバスライン修復方法に関する。
【０００２】
近年、高精細アクティブマトリクス型液晶表示装置（ＡＭ−ＬＣＤ）は、パーソナルコンピータを始めとする各種ＯＡ機器に広く利用されており、さらに、エンジニヤリング・ワース・ステーション（ＥＷＳ）等への適用を狙って、大型化・高精細化が進んでいる。
【０００３】
このように液晶表示パネルの大型化・高精細化が進むと、ゲートバスラインおよびデータバスラインの時定数によって印加電圧の波形がなまり、輝度傾斜やクロストークの発生といった画質の劣化が問題になる。
【０００４】
その解決手段として、ゲートバスラインやデータバスラインの両端から電圧を供給する方式がある。しかし、何らかの原因でバスラインが断線すると、その断線位置によって異なるが、切断されたバスラインの時定数が断線前に比べて著しく大きくなる場合があり、その結果、表示領域に線欠陥が発生するという問題点があった。
【０００５】
【従来の技術】
基本的に、ＡＭ−ＬＣＤ（ＴＦＴ液晶表示パネル）は、それぞれ複数本のゲートバスラインとデータバスライン、ゲートバスラインとデータバスラインに接続しその各交点近傍に配設されたＴＦＴ、ＴＦＴのソース電極に接続する画素電極が形成されたＴＦＴ基板と、画素電極の周辺部に対向する遮光マスク、画素電極に対向し該遮光マスクの開口部を埋める着色フィルタ膜、その着色フィルタ膜を覆う透明電極膜を形成したカラーフィルタ基板との間に、液晶を充填した構成である。
【０００６】
かかる液晶表示パネルは、ゲートバスラインとデータバスラインとを、それぞれの駆動回路に接続し、線順次方式でゲートバスラインを順々に走査し、同一のゲートバスラインに連通する全てのＴＦＴを一時導通状態にし、信号回路からＴＦＴのドレイン電極（データバスラインに接続する電極）を介して各信号蓄積キャパシタ（ドット）に信号を供給するようになる。
【０００７】
図１７は基本的なＴＦＴ基板の要部の説明図、図１８は片側駆動方式のＴＦＴ基板の説明図、図１９は両側駆動方式のＴＦＴ基板の説明図である。ただし、図１８（ａ）と１９（ａ）は便宜上層間絶縁層とＴＦＴを省略してある。
【０００８】
図１７において、ＴＦＴ基板８の表面には、図１７（ａ）の左右方向に延在する多数本のゲートバスライン１と、図１７（ａ）の上下方向に延在する多数本のデータバスライン２が形成され、ゲートバスライン１とデータバスライン２の各交差点近傍には、ＴＦＴ３が形成されている。
【０００９】
ゲートバスライン１とデータバスライン２に囲われた領域には、ＴＦＴ３を避けＴＦＴ３のソース電極４に接続された画素電極５がパターン形成されている。透光性である画素電極５は、一般にＩＴＯにて形成される。
【００１０】
ゲートバスライン１とデータバスライン２は、層間絶縁層１１によって電気的に隔離されており、データバスライン２と画素電極５は配向膜１２に覆われている。
【００１１】
ＴＦＴ基板８に対向するフィルター基板９には、ゲートバスライン１とデータバスライン２およびＴＦＴ３に対向する遮光マスク１３と、画素電極５に対向するフィルターパターン例えば赤・青・緑の透光性着色樹脂パターン１４が形成され、樹脂パターン１４の上に被着した対向電極１５は、配向膜１６に覆われている。
【００１２】
ＴＦＴ基板８とフィルター基板９の対向間隙には液晶１０が充填され、その液晶１０は、ＴＦＴ基板８とフィルター基板９を接合させるシール（図示せず）によって封止されている。
【００１３】
図１８(a) において、二点鎖線１７で囲った領域はＴＦＴ基板８の表示領域であり、図の左右方向に延在する多数本のゲートバスライン１の一端例えば左端は、図示しない駆動装置のゲート電源に接続され、図の上下方向に延在する多数本のデータバスライン２の一端例えば下端は、図示しない駆動装置のデータ電源に接続される。
【００１４】
ゲートバスライン１に並行する多数本の電極６は、補助容量（ＣS ) 電極であり、その一端例えば右端は、連通され図示しない駆動装置のＣS 電源に接続される。
【００１５】
図１８(b) は、ＴＦＴ基板８においてドット数を一部省略したゲートバスライン１の等価回路であり、ＲＣ回路であるゲートバスライン１の入力端から見て、時定数τが最も大きくなるドット（画素）は電圧入力側から見て最遠端ドットであり、
τ＝αＲＣ
ただし：αは分布定数回路を集中定数回路で置き換えた時の係数
Ｒ＝Σｒi 
Ｃ＝Σｃi 
ｒi はｉ個の各ドットの抵抗
ｃi はｉ個の各ドットの容量
となる。
【００１６】
そして、ＡＭ−ＬＣＤパネルが大型化・高精細化すると、１ドット当たりの書込み時間が短く、例えば３μsec 程度に短くなるため、各バスラインに要求される時定数τは非常に小さくなる。
【００１７】
それに対し、各バスラインの幅は細く、例えばゲートバスライン１が１５μｍでデータバスライン２が６μｍ程度に細くなり、長さが増すことになる。そのため、時定数τは大きくなる方向に向かう。
【００１８】
従って、図１８に示すような片側駆動方式のパネルでは、結果的に要求された時定数、例えば３μsec 程度の時定数τを満足することが困難となり、画質の劣化を招くことになる。
【００１９】
片側駆動方式における前記問題点の解決手段として、図１９に示す如き両側駆動方式のＬＣＤパネルが出現した。
図１９(a) において、二点鎖線１７で囲った領域はＴＦＴ基板８′の表示領域であり、図の左右方向に延在する多数本のゲートバスライン１の両端は、図示しない駆動装置のゲート電源に接続され、図の上下方向に延在する多数本のデータバスライン２の両端は、図示しない駆動装置のデータ電源に接続され、同時に所定の電圧が供給されるようになる。
【００２０】
補助容量電極６も前記データバスライン２と同様に、それぞれ図示しない駆動装置に接続され、それらの両端から所定の電圧が供給されるようになる。
図１９(b) は、ＴＦＴ基板８′においてドット数を一部省略して示すゲートバスライン８の等価回路であり、ＲＣ回路であるゲートバスライン８の入力端から見て、時定数τが最も大きくなるドットは中央部であり、
τ＝α（Ｒ／４）Ｃ
となる。
【００２１】
即ち、両側駆動方式において時定数が最も大きいのは、長さ方向の中央に位置するドットであり、ゲートバスライン８の入力側から見た時定数τを片側駆動方式のそれと対比したとき、容量Ｃは同じになるが、抵抗Ｒは１／４（長さが１／２で幅が２倍）にしたことと等価であり、要求抵抗は片側駆動方式の場合の４倍になる。
【００２２】
そして、ゲートバスライン８の中間部で切断されると、その等価回路は図１１（ｃ）に示す如くなり、特に、図示する如く切断個所が長さ方向の中央から偏ったとき、長い方の先端ドットにおいて時定数τが最大になる。
【００２３】
【発明が解決しようとする課題】
以上説明したように、両側駆動方式の採用によって時定数を小さくできる。しかし、バスラインに断線が発生した場合、そのバスラインは一端から電圧の供給を受けることになり、その最先端ドットは時定数τの増大によって適当な輝度が得られないため線欠陥となり、画質が劣化するという問題点があった。
【００２４】
【課題を解決するための手段】
本発明は、ゲートバスラインまたはデータバスラインまたはゲートバスラインとデータバスラインの双方が、その両端から電圧を供給される液晶表示装置において、ゲートバスラインまたはデータバスラインまたはゲートバスラインとデータバスラインの双方の不本意の断線に対し、断線に対応可能な手段、即ち時定数τの増加を低減可能な手段を具えた液晶表示装置と、その手段によって断線ラインを補修する方法を提供するものである。
【００２５】
本発明の第１の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、該ＴＦＴ基板に、該データバスラインと並行かつ該複数本のゲートバスラインと交差する補助バスラインと、該ＴＦＴ基板の表示領域外で該複数本のデータバスラインと複数本のゲートバスラインおよび補助バスラインのそれぞれの長さ方向の両端部と交差するリペアバスラインが形成され、該複数本のデータバスラインと複数本のゲートバスラインと補助バスラインおよびリペアバスラインが、それぞれの交差部で絶縁層を介して重なることである。
【００２６】
本発明の第２の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、該データバスラインに並行かつ該複数本のゲートバスラインと交差する補助バスラインと、該ＴＦＴ基板の表示領域外で該複数本のゲートバスラインの整列方向に延在し、かつ、該複数本のデータバスラインの両外側に配設された一対の第１のリペアバスラインとが、該データバスライン形成用導電膜から形成され、該ゲートバスラインに並行して該表示領域外で該複数本のデータバスラインの整列方向に延在し、該一対の第１のリペアバスラインの長さ方向の両端部が交差し、該複数本のゲートバスラインの両外側に配設された一対の第２のリペアバスラインが、該ゲートバスライン形成用導電膜から形成され、該複数本のデータバスラインと複数本のゲートバスラインと補助バスラインと第１のリペアバスラインおよび第２のリペアバスラインが、それぞれの交差部で絶縁層を介して重なり、該一対の第１のリペアバスラインと一対の第２のリペアバスラインが、その交差部で電気的に接続されてなることである。
【００２７】
本発明の第３の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各データバスラインの両端から電圧を供給し駆動される液晶表示装置において、該ＴＦＴ基板に、該ゲートバスラインと並行かつ該複数本のデータバスラインと交差する補助バスラインと、該ＴＦＴ基板の表示領域外で該複数本のゲートバスラインと複数本のデータバスラインおよび補助バスラインのそれぞれの長さ方向の両端部と交差するリペアバスラインが形成され、該複数本のデータバスラインと複数本のゲートバスラインと補助バスラインおよびリペアバスラインが、それぞれの交差部で絶縁層を介して重なることである。
【００２８】
本発明の第４の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、該ゲートバスラインに並行かつ該複数本のデータバスラインと交差する補助バスラインと、該ＴＦＴ基板の表示領域外で該複数本のデータバスラインの整列方向に延在し、かつ、該複数本のゲートバスラインの両外側に配設された一対の第１のリペアバスラインとが、該ゲートバスライン形成用導電膜から形成され、該データバスラインに並行して該表示領域外で該複数本のゲートバスラインの整列方向に延在し、該一対の第１のリペアバスラインの長さ方向の両端部が交差し、該複数本のデータバスラインの両外側に配設された一対の第２のリペアバスラインが、該データバスライン形成用導電膜から形成され、該複数本のゲートバスラインと複数本のデータバスラインと補助バスラインと第１のリペアバスラインおよび第２のリペアバスラインが、それぞれの交差部で絶縁層を介して重なり、該一対の第１のリペアバスラインと一対の第２のリペアバスラインが、その交差部で電気的に接続されてなることである。
【００２９】
本発明の第５の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインおよび各データバスラインの両端から電圧を供給し駆動される液晶表示装置において、該ＴＦＴ基板に、該データバスラインと並行かつ該複数本のゲートバスラインと交差する第１の補助バスラインと、該ゲートバスラインと並行かつ該複数本のデータバスラインと交差する第２の補助バスラインと、該ＴＦＴ基板の表示領域外で該複数本のデータバスラインと複数本のゲートバスラインと該第１の補助バスラインおよび第２の補助バスラインのそれぞれの長さ方向の両端部と交差する少なくとも１本のリペアバスラインが形成され、該複数本のゲートバスラインと複数本のデータバスラインと第１の補助バスラインと第２の補助バスラインおよびリペアバスラインが、それぞれの交差部で絶縁層を介して重なることである。
【００３０】
本発明の第６の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインおよび各データバスラインの両端から電圧を供給し駆動される液晶表示装置において、該データバスラインに並行かつ該複数本のゲートバスラインと交差する第１の補助バスラインと、該ＴＦＴ基板の表示領域外で該複数本のゲートバスラインの整列方向に延在し、かつ、該複数本のデータバスラインの両外側に少なくとも１本ずつ配設された第１のリペアバスラインとが、該データバスライン形成用導電膜から形成され、該ゲートバスラインに並行かつ該複数本のデータバスラインと交差する第２の補助バスラインと、該表示領域外で該複数本のデータバスラインの整列方向に延在し、該一対の第１のリペアバスラインの長さ方向の両端部が交差し、該複数本のゲートバスラインの両外側に少なくとも１本ずつ配設された第２のリペアバスラインとが、該ゲートバスライン形成用導電膜から形成され、該複数本のデータバスラインと複数本のゲートバスラインと第１の補助バスラインと第２の補助バスラインと第１のリペアバスラインおよび第２のリペアバスラインが、それぞれの交差部で絶縁層を介して重なり、該表示領域から外側に同一順位にある該第１のリペアバスラインと第２のリペアバスラインが、その交差部で電気的に接続されてなることである。
【００３１】
本発明の第７の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、該ＴＦＴ基板に、該データバスラインと並行、かつ、該データバスラインの長さ方向の中央部から該データバスラインの一端に向けて延伸しその間に配設された該ゲートバスラインと交差する第１の補助バスラインと、該データバスラインと並行、かつ、該中央部から該データバスラインの他端に向けて延伸しその間に配設された該ゲートバスラインと交差する第２の補助バスラインと、該ＴＦＴ基板の表示領域外で、該第１の補助バスラインが交差する該複数本のゲートバスラインの両端と該複数本のデータバスラインの該一端とに交差する第１のリペアバスラインと、該表示領域外で、該第２の補助バスラインが交差する該複数本のゲートバスラインの両端と該複数本のデータバスラインの該他端とに交差する第２のリペアバスラインが形成され、該複数本のデータバスラインと複数本のゲートバスラインと第１の補助バスラインと第２の補助バスラインと第１のリペアバスラインおよび第２のリペアバスラインが、それぞれの交差部で絶縁層を介して重なることである。
【００３２】
本発明の第８の液晶表示装置は、薄膜トランジスタ（ＴＦＴ）基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、各ゲートバスラインの両端から電圧を供給し駆動される液晶表示装置において、該データバスラインに並行かつ該複数本のゲートバスラインと交差し、かつ、該データバスラインの長さ方向の中央部から該データバスラインの一端に向けて延伸する第１の補助バスラインと、該データバスラインと並行かつ該複数本のゲートバスラインと交差し、かつ、該データバスラインの長さ方向の中央部から該データバスラインの他端に向けて延伸する第２の補助バスラインと、該ＴＦＴ基板の表示領域外で該第１の補助バスラインが交差する複数本のゲートバスラインの長さ方向の両端部がそれぞれ交差する一対の第１のリペアバスラインと、該表示領域外で該第２の補助バスラインが交差する複数本のゲートバスラインの長さ方向の両端部がそれぞれ交差する一対の第２のリペアバスラインが、該データバスライン形成用導電膜から形成され、該ゲートバスラインに並行し該表示領域外で該複数本のデータバスラインの両端部がそれぞれ交差する一対の第３のリペアバスラインが、該ゲートバスライン形成用導電膜から形成され、該複数本のデータバスラインと複数本のゲートバスラインと一対の第１のリペアバスラインと一対の第２のリペアバスラインおよび一対の第３のリペアバスラインが、それぞれの交差部で絶縁層を介して重なり、該一対の第１のリペアバスラインと第３のリペアバスラインおよび該一対の第２のリペアバスラインと第３のリペアバスラインが、その交差部で電気的に接続されてなることである。
【００３３】
本発明の第９の液晶表示装置は、前記第１、２、３、４、５、６、７および第８の液晶表示装置において、補助バスラインの形成に伴って狭小化された前記画素電極に合わせて、全ての画素電極の大きさを同じにしたことである。
【００３４】
本発明の第１のバスライン断線の処理方法は、前記本発明の第１および第２の液晶表示装置において、不本意に切断された前記データバスラインと前記補助バスライン、該切断されたデータバスラインと前記リペアバスライン、該補助バスラインと該リペアバスラインを、それぞれの交差部における層間絶縁層を溶解せしめ接続させることである。
【００３５】
本発明の第２のバスライン断線の処理方法は、前記本発明の第３および第４の液晶表示装置において、不本意に切断された前記ゲートバスラインと前記補助バスライン、該切断されたゲートバスラインと前記リペアバスライン、該補助バスラインと該リペアバスラインを、それぞれの交差部における層間絶縁層を溶解せしめ接続させることである。
【００３６】
本発明の第３のバスライン断線の処理方法は、前記本発明の第５および第６の液晶表示装置において、不本意に切断された前記ゲートバスラインと前記第１の補助バスラインまたは不本意に切断された前記データバスラインと前記第２の補助バスライン、切断された該ゲートバスラインまたはデータバスラインと前記リペアバスラインをそれぞれの交差点で層間絶縁層を溶解せしめ接続させると共に、切断された該ゲートバスラインまたはデータバスラインが接続された該第１または第２の補助バスラインと該リペアバスラインの交差部で層間絶縁層を溶解せしめ接続させることであり、さらには複数本のリペアバスラインを有する装置では、切断されたゲートバスラインとデータバスラインをそれぞれ別のリペアバスラインに接続させることである。
【００３７】
前記本発明の第１の液晶表示装置は、ゲートバスライン補修用補助バスラインとリペアバスラインを設けたことにより、不本意に切断されたゲートバスラインの補修が可能、即ち前記本発明の第１のバスライン断線の処理方法を適用し、切断されたゲートバスラインの中間部に電圧が供給可能となり、切断によって時定数が最大となるドットの時定数が低減される。
【００３８】
前記本発明の第２の液晶表示装置は、本発明の第１のバスライン断線の処理方法を適用し、本発明の第１の液晶表示装置と同様に、切断によって時定数が最大となるドットの時定数が低減されると共に、ゲートバスライン形成用導電膜とデータバスライン形成用導電膜から補助バスラインとリペアラインを形成する、即ち特別の導電膜を被着させることなく補助バスラインとリペアラインが形成可能になる。
【００３９】
前記本発明の第３の液晶表示装置は、データバスライン補修用補助バスラインとリペアバスラインを設けたことにより、不本意に切断されたデータバスラインの補修が可能、即ち前記本発明の第２のバスライン断線の処理方法を適用し、切断されたデータバスラインの中間部に電圧が供給可能となり、切断によって時定数が最大となるドットの時定数が低減される。
【００４０】
前記本発明の第４の液晶表示装置は、本発明の第２のバスライン断線の処理方法を適用し、本発明の第３の液晶表示装置と同様に、切断によって時定数が最大となるドットの時定数が低減されると共に、ゲートバスライン形成用導電膜とデータバスライン形成用導電膜から補助バスラインとリペアラインを形成する、即ち特別の導電膜を被着させることなく補助バスラインとリペアラインが形成可能になる。
【００４１】
前記本発明の第５の液晶表示装置は、ゲートバスライン補修用補助バスラインとデータバスライン補修用補助バスラインおよび、それらのリペアバスラインを設けたことにより、不本意に切断されたゲートバスラインまたはデータバスラインの補修が可能、即ち前記本発明の第３のバスライン断線の処理方法を適用し、切断されたゲートバスラインまたはデータバスライン、あるいは切断されたゲートバスラインとデータバスラインの双方の中間部に電圧が供給可能となり、切断によって時定数が最大となるドットの時定数が低減される。
【００４２】
さらに、本発明の第５の液晶表示装置は、リペアバスラインを複数本とし、本発明の第３のバスライン断線の処理方法を適用することで、切断されたゲートバスラインとデータバスライン双方の補修が可能になる。
【００４３】
前記本発明の第６の液晶表示装置は、本発明の第３のバスライン断線の処理方法を適用し、本発明の第５の液晶表示装置と同様に、切断によって時定数が最大となるドットの時定数が低減されると共に、ゲートバスライン形成用導電膜とデータバスライン形成用導電膜から補助バスラインとリペアラインを形成する、即ち特別の導電膜を被着させることなく補助バスラインとリペアラインが形成可能になる。
【００４４】
前記本発明の第７の液晶表示装置は、本発明の第１の液晶表示装置と同様に、切断されゲートバスラインの時定数を低減可能にすると共に、リペアバスラインをコ字形状としたことにより、リペアバスライン形成領域を狭めることが可能である。
【００４５】
前記本発明の第８の液晶表示装置は、本発明の第７の液晶表示装置と同様に、切断されゲートバスラインの時定数を低減可能にし、リペアバスライン形成領域を狭めることを可能にすると共に、特別の導電膜を被着させることなく補助バスラインとリペアラインを形成可能にする。
【００４６】
前記本発明の第９の液晶表示装置は、バスライン補修用補助バスラインの形成に伴って狭小化さた画素電極に合わせ、全ての画素電極の大きさを同一にしたことにより、各画素の明るさが均一化されるようになる。
【００４７】
さらに、本発明の液晶表示装置は、▲１▼バスライン補修用補助バスラインを全てのデータバスラインまたはゲートバスラインに沿わせて形成することで全画素電極の大きさを揃える、▲２▼バスライン補修用補助バスラインが形成されたことで狭域化され小形化された画素電極の大きさに合わせ全画素電極を同じ大きさに形成することで、表示領域の明るさが均一化されるようになる。
【００４８】
特に、前記▲１▼の構成では、切断されたバスラインに対し最適位置から所定電圧の新規印加が可能となり、好適条件でバスラインの補修が可能になる。
【００４９】
【発明の実施の形態】
図１は本発明の第１の実施例における液晶表示パネルのＴＦＴ基板と切断バスライン処理方法の説明図、図２は本発明に係わるバスライン等の接続例の説明図、図３は補助バスラインを接続したバスラインの等価回路である。
【００５０】
層間絶縁層およびＴＦＴを省略した図１において、一般にガラス板を使用したＴＦＴ基板８１の表面には、二点鎖線１７で囲った視野領域を貫通する複数本のゲートバスライン１と、ゲートバスライン１に交差する複数本のデータバスライン２と、複数本の補助容量電極６と、１本のゲートバスライン補修用補助バスライン２１が形成され、前記視野領域の外側には、例えば透明電極形成用ＩＴＯ膜から形成されたリペアバスライン３１が形成されている。
【００５１】
図の左右方向に延伸する複数本のゲートバスライン１は、所定ピッチで図の上下方向に整列し、そのゲートバスライン１の整列間に配設された複数本の補助容量電極６は、両端部において連通している。
【００５２】
図の上下方向に延伸し、ゲートバスライン１と補助容量電極６と図示しない第１の絶縁層を介して交差する複数本のデータバスライン２は、所定ピッチで図の左右方向に整列する。
【００５３】
整列方向の中央に位置するデータバスライン２に沿って配設され、データバスライン２と同一導電膜、例えばＴｉ−Ａｌ−Ｔｉの３層膜から形成された補助バスライン２１は、データバスライン２と同じく、前記第１の絶縁層を介してゲートバスライン１と補助容量電極６に交差する。
【００５４】
ＴＦＴ基板８１の視野領域外に形成されたリペアバスライン３１は、前記第１および第２の絶縁層を介してゲートバスライン１の両端部と交差し、データバスライン２および補修用バスライン２１を覆う第２の絶縁層（図示せず）を介して、データバスライン２および補助バスライン２１の両端部と交差する。
【００５５】
かかるＴＦＴ基板８１は、ゲートバスライン１の補修手段を有する基本構成であり、ＴＦＴ基板８１を用いた液晶表示パネルは、図示しない駆動装置に接続され、ゲートバスライン１およびデータバスライン２は、その両端から所定の電圧を供給し駆動される。
【００５６】
表示パネルに組み込む前または後の検査で、ＴＦＴ基板８１のゲートバスライン１の１本、例えば図１（ｂ）に示す如く上から５本目のゲートバスライン１-1の中間部に不本意の断線が検出されたとすると、ゲートバスライン１-1と補助バスライン２１の交点、ゲートバスライン１-1とリペアバスライン３１の交点、補助バスライン２１とリペアバスライン３１の交点において、層間絶縁層を溶解除去せしめライン間を電気的に接続させる。
【００５７】
その結果、２本に切り離されたゲートバスライン１-1の長い方（切断点から右方）は、中間部が補助バスライン２１と接続し、その接続部からも所定の電圧が供給されるようになり、そのことによって、切断に伴う時定数の増加が低減されるようになる。
【００５８】
なお、図１（ｂ）において、補助バスライン２１とリペアバスライン３１は、交差する２箇所で接続している。しかし、切断されたバスライン１-1の中間部に所定電圧を流すようにする本発明では、前記２箇所の一方のみ接続してもよい。
【００５９】
前記接続の実施例を示す図２（ａ）において、ガラス基板５１の表面にはデータバスライン２（または補助バスライン２１）を形成したのち、絶縁層５２を介してリペアバスライン３１（またはゲートバスライン１-1）が形成され、その上に絶縁層５３が形成されている。
【００６０】
一般に、Ｔｉ−Ａｌ−Ｔｉの３層構成のデータバスライン２と補修用バスライン２１は、厚さが１５００Å程度であり、Ｃｒにてなるゲートバスライン１-1の厚さは１５００Å程度である。そして、Ｓｉ2 Ｎ3 にてなる絶縁層５２と５３の厚さは、４０００Å程度である。
【００６１】
データバスライン２とリペアバスライン３１（または補助バスライン２１とゲートバスライン１-1）を電気的に接続させるには、ガラス基板５１を通して適当強度のレーザ光、即ちデータバスライン２とリペアバスライン３１および絶縁層５２と５３を溶解させるのに必要な強度のレーザ光５４を照射する。
【００６２】
すると、図２（ｂ）に示す如く、溶解されたデータバスライン２の一部が延伸しリペアバスライン３１と接続され、切断されたゲートバスライン１-1の等価回路は図３に示す如く、切断されて長い方の中間部からも所定電圧が供給されるようになる。
【００６３】
従って、該切断されて長い方のバスライン回路の最先端の時定数τ′は
τ′＜α（Ｒ／２）（Ｃ／２）
ただし  Ｒ＝Σｒｉ，Ｃ＝ΣＣｉ
となり、これは補助バスライン２１を接続する前の時定数τ″
τ″＞α（Ｒ／４）Ｃ
より小さくなる。
【００６４】
図４は本発明の第２の実施例における液晶表示パネルのＴＦＴ基板と切断バスライン処理方法の説明図、図５は本発明の第２の実施例における所要バスライン形成方法の説明図、図６と７は本発明の第２の実施例におけるリペアバスライン接続例の説明図である。
【００６５】
層間絶縁層およびＴＦＴを省略した図４において、一般にガラス板を使用したＴＦＴ基板９１の表面には、二点鎖線１７で囲った視野領域を貫通する複数本のゲートバスライン１と、複数本のデータバスライン２と、複数本の補助容量電極６と、１本のゲート電極補修用補助バスライン２１が形成され、視野領域の外側には、リペアバスライン３２が形成されている。
【００６６】
リペアバスライン３２は、視野領域を挟みデータバスライン２の両端部が交差する一対のバスライン３３と、視野領域を挟みゲートバスライン１の両端部が交差する一対のバスライン３４からなり、絶縁層を挟んで形成されたバスライン３３と３４は、両端の交差部３２′で電気的に接続されている。
【００６７】
かかるＴＦＴ基板９１は、ＴＦＴ基板８１と同様に切断されたゲートバスライン１の修復、即ち、例えば図４（ｂ）に示す如く上から５本目のゲートバスライン１-1の中間部に不本意の断線が検出されたとすると、ゲートバスライン１-1と補助バスライン２１の交点、ゲートバスライン１-1とリペアバスライン３１の交点、補助バスライン２１とリペアバスライン３１の交点において、層間絶縁層を溶解除去せしめライン間を電気的に接続せしめ、切断に伴う時定数の増加を低減させる。
【００６８】
なお、図４（ｂ）において、補助バスライン２１とリペアバスライン３２は、交差する２箇所で接続している。しかし、切断されたバスライン１-1の中間部に所定電圧を流すようにする本発明では、前記２箇所の一方のみ接続してもよい。
【００６９】
図５において、（ａ）はゲートバスライン形成用導電膜から、ゲートバスライン１と、ゲートバスライン１に並行する一対のバスライン３３を形成した平面図であり、ゲートバスライン１とバスライン３３を覆う絶縁層の上には、（ｂ）に示す如くデータバスライン２と、データバスライン２に並行する一対のバスライン３４が形成され、バスライン３４の両端部はバスライン３３と電気的に接続されるようになる。
【００７０】
層間絶縁層を有するバスライン３３と３４の交差部３２′における接続方法として本発明では、図２を用いて説明したレーザ光照射方法と、層間絶縁層にコンタクトホールを形成し、そのホール内でバスライン３３と３４を直接に接続させる方法と、画素電極の形成に使用する透明導電膜（ＩＴＯ）を利用する方法について提案する。
【００７１】
バスライン３３と３４を直接的に接続させる方法の説明図である図６において、ガラス基板５１の表面にバスライン３３を形成し、その上に絶縁膜（ＳｉＮ）５２を被着させる。
【００７２】
次いで、絶縁膜５２の所定部に透孔５４を形成し、バスライン３３の端部を露呈させたのち、画素形成用透明導電膜（ＩＴＯ）５５を被着し、その導電膜５５から図示しない画素電極と共に、バスライン３４およびそのバスライン３３と３４に連通するパターン５６を形成する。
【００７３】
ＩＴＯ膜を利用する方法の説明図である図７において、ガラス基板５１の上にバスライン３３を形成したのち、バスライン３３を覆う絶縁層５２を被着し、絶縁層５２の上にバスライン３４を形成したのち、バスライン３４を覆う絶縁層５３を被着させる。
【００７４】
次いで、バスライン３３と３４の交差部近傍において、絶縁層５３の一部を除去しバスライン３４の所定部を露呈させると共に、積層された絶縁層５２と５３の一部を除去しバスライン３３の所定部を露呈させる。
【００７５】
しかるのち、画素電極形成用ＩＴＯ膜５４を被着し、ＩＴＯ膜５４の選択的除去によって、バスライン３３と３４の露呈部を繋ぐ導電体５５を形成する。
なお、図６および７において、ガラス基板５１の表面には、図示しないＴＦＴが形成され、そのＴＦＴのチャネル電極を形成するためにａ−Ｓｉ膜が、バスライン３４およびデータバスラインを形成する導電膜に先立って被着される。
【００７６】
従って、ａ−Ｓｉ膜から形成したパターンにデータバスライン３４が積層形成されたＴＦＴ基板では、バスライン３４の下に、ａ−Ｓｉ膜から形成したａ−Ｓｉパターンが形成されるようにしてもよい。
【００７７】
図８は本発明の第３の実施例における液晶表示パネルのＴＦＴ基板と切断バスライン処理方法の説明図、図９は本発明の第４の実施例における液晶表示パネルのＴＦＴ基板と切断バスライン処理方法の説明図、図１０は本発明の第５の実施例における液晶表示パネルのＴＦＴ基板と切断バスライン処理方法の説明図、図１１は本発明の第６の実施例における液晶表示パネルのＴＦＴ基板と切断バスライン処理方法の説明図である。
【００７８】
層間絶縁層およびＴＦＴを省略した図８において、一般にガラス板を使用したＴＦＴ基板８２の表面には、二点鎖線１７で囲った視野領域を貫通する複数本のゲートバスライン１と、複数本のデータバスライン２と、複数本の補助容量電極６と、複数本（図は２本）のゲートバスライン補修用補助バスライン２１-1と２１-2が形成され、前記視野領域の外側には、補助バスライン２１-1と２１-2に対応する複数本（図は２本）のリペアバスライン３１-1と３１-2が形成されている。
【００７９】
常識的には、複数本のデータバスライン２を等分する位置のデータバスライン２に沿って配設される補助バスライン２１-1と２１-2は、データバスライン２と同一導電膜例えばＣｒ膜から形成され、データバスライン２と同じ絶縁層（第１の絶縁層）を介してゲートバスライン１と補助容量電極６が交差する。
【００８０】
リペアバスライン３１-1と３１-2は、前記絶縁層を介してゲートバスライン１の両端部と交差し、データバスライン２および補助バスライン２１-1と２１-2を覆う絶縁層（第２の絶縁層）を介して、データバスライン２および補助バスライン２１-1と２１-2の両端部と交差する。
【００８１】
かかるＴＦＴ基板８２を用いた液晶表示パネルは、図示しない駆動装置に接続され、ゲートバスライン１およびデータバスライン２は、その両端から所定の電圧を供給し駆動される。
【００８２】
表示パネルに組み込む前または後の検査で、ＴＦＴ基板８２のゲートバスライン１の２本、例えば図８（ｂ）に示す如く、上から３本目のゲートバスライン１-1と５本目のゲートバスライン１-2の中間部に、不本意の断線が検出されたとする。
【００８３】
その時、ＴＦＴ基板８２はゲートバスライン１-1と補助バスライン２１-1の交点、ゲートバスライン１-1とリペアバスライン３１-1の交点、補助バスライン２１-1とリペアバスライン３１-1の交点において、層間絶縁層を溶解しライン間を電気的に接続させると共に、ゲートバスライン１-2と補助バスライン２１-2の交点、ゲートバスライン１-2とリペアバスライン３１-2の交点、補助バスライン２１-2とリペアバスライン３１-2の交点において、層間絶縁層を溶解除去させてライン間を電気的に接続させる。
【００８４】
その結果、中間部で切断されたゲートバスライン１-1および１-2の長い方が、補助バスライン２１-1または２１-2と接続し、その接続部からも所定の電圧が供給されるようになり、切断に伴う時定数の最大値は、ＴＦＴ基板８１における補修結果と同じく、補助バスライン２１-1と２１-2を接続しない場合に比べて低減されるようになる。
【００８５】
なお、図８（ｂ）において、補助バスライン２１-1と２１-2は、リペアバスライン３１-1または３１-2と交差するそれぞれの２箇所で接続している。しかし、切断されたバスライン１-1と１-2の中間部に所定電圧を流すようにする本発明では、前記２箇所の一方のみ接続してもよい。
【００８６】
層間絶縁層およびＴＦＴを省略した図９において、一般にガラス板を使用したＴＦＴ基板９２の表面には、二点鎖線１７で囲った視野領域を貫通する複数本のゲートバスライン１と、複数本のデータバスライン２と、複数本の補助容量電極６と、複数本（図は２本）のゲートバスライン補修用補助バスライン２１-1と２１-2が形成され、前記視野領域の外側には、複数本（図は２本）のリペアバスライン３２-1と３２-2が形成されている。
【００８７】
リペアバスライン３２-1と３２-2は、視野領域を挟みデータバスライン２の両端部が交差する各一対のバスライン３３-1および３２-2と、視野領域を挟みゲートバスライン１の両端部が交差する各一対のバスライン３４-1および３４-2からなり、絶縁層を挟んで形成されたバスライン３３-1と３４-1および３２-2と３４-2は、両端の交差部３２-1′または３２-1″で電気的に接続されている。
【００８８】
交差部３２-1′の電気的接続は、ＴＦＴ基板９１における交差点３２′の接続と同様に行なわれる。
かかるＴＦＴ基板９２は、ＴＦＴ基板８２と同様に切断されたゲートバスライン１の修復、即ち、例えば図９（ｂ）に示す如く上から３本目のゲートバスライン１-1と５本目のゲートバスライン１-2の中間部に不本意の断線が検出されたとすると、ゲートバスライン１-1と補助バスライン２１-1の交点、ゲートバスライン１-1とリペアバスライン３４-2の交点、補助バスライン２１-1とリペアバスライン３３-2の交点において、層間絶縁層を溶解しライン間を電気的に接続させる。
【００８９】
と共に、ゲートバスライン１-2と補助バスライン２１-1の交点、ゲートバスライン１-2とリペアバスライン３４-1の交点、補助バスライン２１-2とリペアバスライン３３-1の交点において、層間絶縁層を溶解除去させてライン間を電気的に接続させる。
【００９０】
その結果、ゲートバスライン１-1と１-2の切断に伴う時定数の増加を低減させることができる。
なお、図９（ｂ）において、補助バスライン２１-1と２１-2は、リペアバスライン３２-1または３２-2と交差するそれぞれの２箇所で接続している。しかし、切断されたバスライン１-1と１-2の中間部に所定電圧を流すようにする本発明では、前記２箇所の一方のみ接続してもよい。
【００９１】
層間絶縁層およびＴＦＴを省略した図１０において、一般にガラス板を使用したＴＦＴ基板８３の表面には、二点鎖線１７で囲った視野領域を貫通する複数本のゲートバスライン１と、複数本のデータバスライン２と、複数本の補助容量電極６と、複数本（図は３本）のゲートバスライン補修用補助バスライン２１-1と２１-2および２１-3が形成され、前記視野領域の外側には、補助バスラインより少ない複数本（図は２本）のリペアバスライン３１-1と３１-2が形成されている。
【００９２】
常識的には、複数本のデータバスライン２を等分する位置のデータバスライン２に沿って配設される補助バスライン２１-1と２１-2と２１-3は、データバスライン２と同一導電膜から形成され、データバスライン２と同じ絶縁層（第１の絶縁層）を介してゲートバスライン１と補助容量電極６が交差する。
【００９３】
リペアバスライン３１-1と３１-2は、前記絶縁層を介してゲートバスライン１の両端部と交差し、データバスライン２および補助バスライン２１-1と２１-2と２１-3を覆う絶縁層（第２の絶縁層）を介して、データバスライン２および補助バスライン２１-1と２１-2と２１-3の両端部と交差する。
【００９４】
かかるＴＦＴ基板８３を用いた液晶表示パネルは、図示しない駆動装置に接続され、ゲートバスライン１およびデータバスライン２は、その両端から所定の電圧を供給し駆動される。
【００９５】
表示パネルに組み込む前または後の検査で、ＴＦＴ基板８３のゲートバスライン１の２本、例えば図１０（ｂ）に示す如く上から３本目のゲートバスライン１-1と、下から３本目のゲートバスライン１-2の中間部に不本意の断線が検出されたとき、本発明では補助バスライン２１-1と２１-2と２１-3から有効的な２本、例えば補助バスライン２１-1と２１-3の２本を選択し利用する。
【００９６】
即ち、ゲートバスライン１-1と補助バスライン２１-1の交点、ゲートバスライン１-1とリペアバスライン３１-1の交点、補助バスライン２１-1とリペアバスライン３１-1の交点において、層間絶縁層を溶解除去させてライン間を電気的に接続させる。
【００９７】
と共に、ゲートバスライン１-2と補助バスライン２１-3の交点、ゲートバスライン１-2とリペアバスライン３１-2の交点、補助バスライン２１-3とリペアバスライン３１-2の交点において、層間絶縁層を溶解除去させてライン間を電気的に接続させる。
【００９８】
その結果、前記ＴＦＴ基板８２と同じく、中間部で切断されたゲートバスライン１-1および１-2の長い方が、補助バスライン２１-1または２１-2と接続し、その接続部からも所定の電圧が供給されるようになり、切断に伴う時定数の最大値は低減可能となり、かつ、補助バスライン２１-1と２１-2と２１-3を選択利用する、即ち切断点に近い位置に電圧供給が可能になることで、ＴＦＴ基板８２より優れた時定数低減効果が得られる。
【００９９】
なお、図１０（ｂ）において、補助バスライン２１-1と２１-3は、リペアバスライン３１-1または３１-2と交差するそれぞれの２箇所で接続している。しかし、切断されたバスライン１-1と１-2の中間部に所定電圧を流すようにする本発明では、前記２箇所の一方のみ接続してもよい。
【０１００】
層間絶縁層およびＴＦＴを省略した図１１において、一般にガラス板を使用したＴＦＴ基板９３の表面には、二点鎖線１７で囲った視野領域を貫通する複数本のゲートバスライン１と、複数本のデータバスライン２と、複数本の補助容量電極６と、複数本（図は３本）のゲートバスライン補修用補助バスライン２１-1と２１-2および２１-3が形成され、前記視野領域の外側には、補助バスラインより少ない複数本（図は２本）のリペアバスライン３２-1と３２-2が形成されている。
【０１０１】
リペアバスライン３２-1と３２-2は、ＴＦＴ基板９２のそれと同じく、各一対のバスライン３３-1と３２-2および３４-1と３４-2からなり、それらの交差部３２-1′または３２-1″で電気的に接続されている。
【０１０２】
かかるＴＦＴ基板９２は、ＴＦＴ基板８２と同様に切断されたゲートバスライン１の修復はＴＦＴ基板８２のそれと同じ、即ち、例えば図１１（ｂ）に示す如く上から３本目のゲートバスライン１-1と５本目のゲートバスライン１-2の中間部に不本意の断線が検出されたとすると、ゲートバスライン１-1と補助バスライン２１-1の交点、ゲートバスライン１-1とリペアバスライン３４-2の交点、補助バスライン２１-1とリペアバスライン３３-2の交点において、層間絶縁層を溶解しライン間を電気的に接続させる。
【０１０３】
と共に、ゲートバスライン１-2と補助バスライン２１-1の交点、ゲートバスライン１-2とリペアバスライン３４-1の交点、補助バスライン２１-2とリペアバスライン３３-1の交点において、層間絶縁層を溶解除去させてライン間を電気的に接続させる。
【０１０４】
その結果、ゲートバスライン１-1と１-2の切断に伴う時定数の増加を低減させることができる。
なお、図１１（ｂ）において、補助バスライン２１-1と２１-3は、リペアバスライン３２-1または３２-2と交差するそれぞれの２箇所で接続している。しかし、切断されたバスライン１-1と１-2の中間部に所定電圧を流すようにする本発明では、前記２箇所の一方のみ接続してもよい。
【０１０５】
図１２は本発明の第７の実施例における液晶表示パネルのＴＦＴ基板と切断バスライン処理方法の説明図、図１３は本発明の第８の実施例における液晶表示パネルのＴＦＴ基板と切断バスライン処理方法の説明図、図１４は本発明の第９の実施例における液晶表示パネルのＴＦＴ基板と切断バスライン処理方法の説明図、図１５は本発明の第１０の実施例における液晶表示パネルのＴＦＴ基板と切断バスライン処理方法の説明図である。
【０１０６】
層間絶縁層およびＴＦＴを省略した図１２において、一般にガラス板を使用したＴＦＴ基板８４の表面には、二点鎖線１７で囲った視野領域を貫通する複数本のゲートバスライン１と、複数本のデータバスライン２と、複数本の補助容量電極６と、１本のデータバスライン補修用補助バスライン４１が形成され、前記視野領域の外側にはリペアバスライン３１が形成されている。
【０１０７】
図の左右方向に延伸する複数本のゲートバスライン１は、所定ピッチで図の上下方向に整列し、そのゲートバスライン１の整列間に配設された複数本の補助容量電極６は、両端部において連通している。
【０１０８】
図の上下方向に延伸し、ゲートバスライン１および補助容量電極６と、図示しない第１の絶縁層を介して交差する複数本のデータバスライン２は、所定ピッチで図の左右方向に整列する。
【０１０９】
整列方向の中央に位置するゲートバスライン１に沿って配設され、ゲートバスライン１と同一導電膜から形成された補助バスライン４１は、ゲートバスライン１と同じく、前記第１の絶縁層を介してデータバスライン２と補助容量電極６に交差する。
【０１１０】
ＴＦＴ基板８４の視野領域外に形成されたリペアバスライン３１は、前記第１の絶縁層を介してゲートバスライン１の両端部および補助バスライン４１と交差し、データバスライン２を覆う第２の絶縁層（図示せず）を介して、データバスライン２の両端部と交差する。
【０１１１】
かかるＴＦＴ基板８４を用いた液晶表示パネルは、図示しない駆動装置に接続され、ゲートバスライン１およびデータバスライン２は、その両端から所定の電圧を供給し駆動される。
【０１１２】
表示パネルに組み込む前または後の検査で、ＴＦＴ基板８４のデータバスライン２の１本、例えば図１２（ｂ）に示す如く左から３本目のデータバスライン２-1の中間部に不本意の断線が検出されたとすると、データバスライン２-1と補助バスライン４１の交点、データバスライン２-1とリペアバスライン３１の交点、補助バスライン４１とリペアバスライン３１の交点において、層間絶縁層を溶解除去させてライン間を電気的に接続させる。
【０１１３】
その結果、２本に切り離されたデータバスライン２-1の長い方（切断点から上方）が、補助バスライン４１と接続し、その接続部からも所定の電圧が供給されるようになり、そのことによって、切断に伴うデータバスライン２-1の時定数は、前述のゲートバスライン１切断補修と同様に、補助バスライン４１を接続しないものより低減されるようになる。
【０１１４】
以上説明したように、データバスライン補修用補助バスライン４１とリペアバスライン３１を、それぞれ１本ずつ有するＴＦＴ基板８４は、データバスライン２の補修手段を有する基本構成である。
【０１１５】
しかし、複数本のデータバスライン２が切断されたときに対応する構成、補助バスライン４１の接続を一層効果的にする構成、特別の導電膜を形成しないでリペアバスライン３１を形成させる構成は、前記ＴＦＴ基板８２と８３と９１と９２および９３から容易に理解されるであろう。
【０１１６】
即ち、複数本のデータバスライン２が切断されたときに対応する構成は、補助バスライン４１とリペアバスライン３１を、それぞれ複数本ずつ設けることであり、補助バスライン４１の一層の効果的な接続を可能にする構成は、リペアバスライン３１より多数本の補助バスライン４１を設けることであり、特別の導電膜を必要としないでリペアバスライン３１を製造する構成は、リペアバスライン３１を分割しゲートバスライン形成用導電膜とデータバスライン形成用導電膜から形成しそれを電気的に接続させた構成とすることである。
【０１１７】
なお、図１２（ｂ）において、補助バスライン４１リペアバスライン３１は、交差する２箇所で接続している。しかし、切断されたバスライン２-1の中間部に所定電圧を流すようにする本発明では、前記２箇所の一方のみ接続してもよい。
【０１１８】
層間絶縁層およびＴＦＴを省略した図１３において、一般にガラス板を使用したＴＦＴ基板８５の表面には、二点鎖線１７で囲った視野領域を貫通する複数本のゲートバスライン１と、複数本のデータバスライン２と、複数本の補助容量電極６と、ゲートバスライン補修用補助バスライン２１と、データバスライン補修用補助バスライン４１が形成され、前記視野領域の外側にはリペアバスライン３１-1と３１-2が形成されている。
【０１１９】
図の左右方向に延伸する複数本のゲートバスライン１は、所定ピッチで図の上下方向に整列し、そのゲートバスライン１の整列間に配設された複数本の補助容量電極６は、両端部において連通している。
【０１２０】
図の上下方向に延伸し、ゲートバスライン１および補助容量電極６と、図示しない第１の絶縁層を介して交差する複数本のデータバスライン２は、所定ピッチで図の左右方向に整列する。
【０１２１】
整列方向の中央に位置するデータバスライン２に沿って配設され、データバスライン２と同一導電膜から形成されたゲートバスライン補修用補助バスライン２１は、データバスライン２と同じく、前記第１の絶縁層を介してゲートバスライン１と補助容量電極６に交差する。
【０１２２】
整列方向の中央に位置するゲートバスライン１に沿って配設され、ゲートバスライン１と同一導電膜から形成されたデータバスライン補修用補助バスライン４１は、ゲートバスライン１と同じく、前記第１の絶縁層を介してデータバスライン２と補助容量電極６に交差する。
【０１２３】
ＴＦＴ基板８５の視野領域外に形成されたリペアバスライン３１-1と３１-2は、前記第１の絶縁層を介してゲートバスライン１および補助バスライン４１の両端部と交差し、データバスライン２および補助バスライン２１を覆う第２の絶縁層（図示せず）を介して、データバスライン２および補修用バスライン２１の両端部と交差する。
【０１２４】
かかるＴＦＴ基板８５を用いた液晶表示パネルは、図示しない駆動装置に接続され、ゲートバスライン１およびデータバスライン２は、その両端から所定の電圧を供給し駆動される。
【０１２５】
表示パネルに組み込む前または後の検査で、ＴＦＴ基板８５のデータバスライン２の１本、例えば図１３（ｂ）に示す如く右から７本目のデータバスライン２-1の中間部と、上から４本目のゲートバスライン１-1に不本意の断線が検出されたとすると、ゲートバスライン１-1と補助バスライン２１の交点、ゲートバスライン１-1とリペアバスライン３１-1との交点、補助バスライン２１とリペアバスライン３１-1との交点および、データバスライン２-1と補助バスライン４１の交点、データバスライン２-1とリペアバスライン３１-2の交点、補助バスライン４１とリペアバスライン３１-2の交点において、層間絶縁層を溶解除去させて層間ラインを電気的に接続させる。
【０１２６】
その結果、２本に切り離されたデータバスライン２-1の長い方（切断点から下方）が、補助バスライン４１と接続し、その接続部からも所定の電圧が供給されるようになり、切断に伴うデータバスライン２-1の時定数は、前述のデータバスライン２切断補修と同様に、補助バスライン４１を接続しないときより低減されると共に、２本に切り離されたゲートバスライン１-1の長い方（切断点から右方）が、補助バスライン２１と接続し、その接続部からも所定の電圧が供給されるようになり、切断に伴うゲートバスライン１-1の時定数は、前述のゲートバスライン１切断補修と同様に、補助バスライン２１を接続しないときより低減されるようになる。
【０１２７】
以上説明したようなＴＦＴ基板８５は、ゲートバスライン１とデータバスライン２双方の補修手段を有する基本構成であり、複数本のゲートバスライン１とデータバスライン２が切断されたときに対応する構成、補修用バスライン２１および４１の接続を一層効果的にする構成、特別の導電膜を形成しないでリペアバスライン３１を形成させる構成は、前記ＴＦＴ基板８２と８３と９１と９２および９３から容易に理解されるであろう。
【０１２８】
即ち、それぞれ複数本のゲートバスライン１データバスライン２が切断されたときに対応する構成は、それぞれ複数本の補助バスライン２１と４１および、その補助バスライン２１と４１に対応する複数のリペアバスライン３１を設けることであり、補助バスライン２１と４１の一層の効果的な接続を可能にする構成は、リペアバスライン３１より多数本の補助バスライン２１と４１を設けた構成とすることであり、特別の導電膜を必要としないでリペアバスライン３１を製造する構成は、リペアバスライン３１を分割しゲートバスライン形成用導電膜とデータバスライン形成用導電膜から形成しそれを電気的に接続させた構成とすることである。
【０１２９】
なお、図１３（ｂ）において、補助バスライン２１とリペアバスライン３１-1および補助バスライン４１とリペアバスライン３１-2は、それぞれが交差する２箇所で接続している。しかし、切断されたバスライン１-1と２-1の中間部に所定電圧を流すようにする本発明では、前記２箇所の一方のみ接続してもよい。
【０１３０】
層間絶縁層およびＴＦＴを省略した図１４において、一般にガラス板を使用したＴＦＴ基板８６の表面には、二点鎖線１７で囲った視野領域を貫通する複数本のゲートバスライン１と、複数本のデータバスライン２と、複数本の補助容量電極６と、一対のゲートバスライン補修用補助バスライン２５-1および２５-2と、前記視野領域の外側に一対のリペアバスライン３５-1と３５-2が形成されている。
【０１３１】
図の左右方向に延伸する複数本のゲートバスライン１は、所定ピッチで図の上下方向に整列し、そのゲートバスライン１の整列間に配設された複数本の補助容量電極６は、両端部において連通している。
【０１３２】
図の上下方向に延伸し、ゲートバスライン１および補助容量電極６と、図示しない第１の絶縁層を介して交差する複数本のデータバスライン２は、所定ピッチで図の左右方向に整列する。
【０１３３】
表示領域の中心部から１本のデータバスライン２に沿って一方（図の上方）に配設され、データバスライン２と同一導電膜から形成された補助バスライン２５-1および、該中心部から１本のデータバスライン２に沿って他方（図の下方）に配設され、データバスライン２と同一導電膜から形成された補助バスライン２５-2は、データバスライン２と同じく、前記第１の絶縁層を介してゲートバスライン１と補助容量電極６に交差する。
【０１３４】
ＴＦＴ基板８６の視野領域外に形成されたリペアバスライン３５-1は、補助バスライン２５-1が交差するゲートバスライン１の端部と、データバスライン２を覆う第２の絶縁層（図示せず）を介して交差すると共に、ＴＦＴ基板８６の視野領域外に形成されたリペアバスライン３５-2は、補助バスライン２５-2が交差するゲートバスライン１の端部と該第２の絶縁層を介して交差する。
【０１３５】
かかるＴＦＴ基板８６を用いた液晶表示パネルは、図示しない駆動装置に接続され、ゲートバスライン１およびデータバスライン２は、その両端から所定の電圧を供給し駆動される。
【０１３６】
表示パネルに組み込む前または後の検査で、ＴＦＴ基板８６のゲートバスライン１の２本、例えば図１４（ｂ）に示す如く上から３本目のゲートバスライン１-1および、下から３本目のゲートバスライン１-2の中間部に不本意の断線が検出されたとすると、ゲートバスライン１-1と補助バスライン２５-1の交点、ゲートバスライン２-1とリペアバスライン３５-1の交点、補助バスライン２５-1とリペアバスライン３５-1の交点、ゲートバスライン１-2と補助バスライン２５-2の交点、ゲートバスライン２-2とリペアバスライン３５-2の交点、補助バスライン２５-2とリペアバスライン３５-2の交点の交点において、層間絶縁層を溶解除去させて層間ラインを電気的に接続させる。
【０１３７】
その結果、２本に切り離されたゲートバスライン１-1と１-2は、補助バスライン２５-1または２５-2と接続し、その接続部からも所定の電圧が供給されるようになり、そのことによって、切断に伴うゲートバスライン１-1および１-2の時定数は、補修前より低減されるようになる。
【０１３８】
かかるＴＦＴ基板８６は、リペアバスライン形成領域を狭めることが可能、即ち２本のゲートバスライン１-1と１-2の補修に必要なコ字形リペアバスライン３５-1と３５-2の形成に必要な領域は、ＴＦＴ基板８１において一つのロ字形リペアバスライン３１と同一領域で済むようになる。
【０１３９】
なお、ＴＦＴ基板８６はリペアバスライン形成領域を狭められる基本構成であり、さらに多くのゲートバスライン１の切断に対応するには、補助バスライン２５-1および２５-2に相当する補助バスラインの数を増やすと共に、コ字形リペアバスライン３５-1と３５-2を、それぞれ複数本ずつ表示領域から離れる方向に整列させて形成すればよい。
【０１４０】
さらに、ＴＦＴ基板８６を基本構成とし、補修用バスライン２５-1と２５-2の接続を一層効果的にする構成、特別の導電膜を形成しないでリペアバスライン３５-1と３５-2を形成させる構成は、前記ＴＦＴ基板８３と９１および９３から容易に理解されるであろう。
【０１４１】
即ち、補助バスライン２５-1と２５-2の一層の効果的な接続を可能にする構成は、補助バスライン２５-1と２５-2をリペアバスライン３５-1および３５-2より多数本とする構成であり、特別の導電膜を必要としないでリペアバスライン３５-1および３５-2を製造する構成は、リペアバスライン３５-1および３５-2を分割し、ゲートバスライン形成用導電膜とデータバスライン形成用導電膜から形成しそれを電気的に接続させた構成とすることである。
【０１４２】
層間絶縁層およびＴＦＴを省略した図１５において、一般にガラス板を使用したＴＦＴ基板８７の表面には、二点鎖線１７で囲った視野領域を貫通する複数本のゲートバスライン１と、複数本のデータバスライン２と、複数本の補助容量電極６と、一対のデータバスライン補修用補助バスライン２６-1および２６-2と、前記視野領域の外側に一対のリペアバスライン３６-1と３６-2が形成されている。
【０１４３】
図の左右方向に延伸する複数本のゲートバスライン１は、所定ピッチで図の上下方向に整列し、そのゲートバスライン１の整列間に配設された複数本の補助容量電極６は、両端部において連通している。
【０１４４】
図の上下方向に延伸し、ゲートバスライン１および補助容量電極６と、図示しない第１の絶縁層を介して交差する複数本のデータバスライン２は、所定ピッチで図の左右方向に整列する。
【０１４５】
表示領域の中心部から１本のゲートバスライン１に沿って一方（図の左方）に配設され、ゲートバスライン１と同一導電膜から形成された補助バスライン２６-1および、該中心部から１本のゲートバスライン１に沿って他方（図の右方）に配設され、ゲートバスライン１と同一導電膜から形成された補助バスライン２６-2は、ゲートバスライン１と同じ絶縁層を介して、データバスライン２と補助容量電極６に交差する。
【０１４６】
ＴＦＴ基板８７の視野領域外に形成されたリペアバスライン３６-1は、補助バスライン２６-1が交差するデータバスライン２の端部と、ゲートバスライン１を覆う第２の絶縁層（図示せず）を介して交差すると共に、ＴＦＴ基板８７の視野領域外に形成されたリペアバスライン３６-2は、補助バスライン２６-2が交差するゲートバスライン１の端部と該第２の絶縁層を介して交差する。
【０１４７】
かかるＴＦＴ基板８７を用いた液晶表示パネルは、図示しない駆動装置に接続され、ゲートバスライン１およびデータバスライン２は、その両端から所定の電圧を供給し駆動される。
【０１４８】
表示パネルに組み込む前または後の検査で、ＴＦＴ基板８７のデータバスライン２の２本、例えば図１５（ｂ）に示す如く左から３本目のデータバスライン２-1および、右から３本目のデータバスライン２-2の中間部に不本意の断線が検出されたとすると、データバスライン２-1と補助バスライン２６-1の交点、データバスライン２-1とリペアバスライン３６-1の交点、補助バスライン２６-1とリペアバスライン３６-1の交点、データバスライン２-2と補助バスライン２６-2の交点、データバスライン２-2とリペアバスライン３６-2の交点、補助バスライン２６-2とリペアバスライン３６-2の交点の交点において、層間絶縁層を溶解除去させて電気的に接続させる。
【０１４９】
その結果、２本に切り離されたデータバスライン２-1と２-2は、補助バスライン２６-1または２６-2と接続し、その接続部からも所定の電圧が供給されるようになり、そのことによって、切断に伴うデータバスライン２-1および２-2の時定数は、補修前より低減されるようになる。
【０１５０】
かかるＴＦＴ基板８７は、リペアバスライン形成領域を狭めることが可能、即ち２本のデータバスライン２-1と２-2の補修に必要なコ字形リペアバスライン３６-1と３６-2の形成に必要な領域は、ＴＦＴ基板８４におけるロ字形リペアバスライン３１と同一領域で済むようになる。
【０１５１】
なお、ＴＦＴ基板８７はリペアバスライン形成領域を狭められる基本構成であり、さらに多くのデータバスライン２の切断に対応するには、補助バスライン２６-1または２６-2に相当する補助バスラインの数を増やすと共に、コ字形リペアバスライン３６-1と３６-2を、それぞれ複数本ずつ表示領域から離れる方向に整列せしめて形成すればよい。
【０１５２】
さらに、ＴＦＴ基板８６を基本構成とし、補助バスライン２６-1と２６-2の接続を一層効果的にする構成、特別の導電膜を形成しないでリペアバスライン３６-1と３６-2を形成させる構成は、前記ＴＦＴ基板８３と９１および９３から容易に理解されるであろう。
【０１５３】
即ち、補助バスライン２６-1と２６-2の一層の効果的な接続を可能にする構成は、補助バスライン２６-1と２６-2をリペアバスライン３６-1および３６-2より多数本とする構成であり、特別の導電膜を必要としないでリペアバスライン３６-1および３６-2を製造する構成は、リペアバスライン３６-1および３６-2を分割し、ゲートバスライン形成用導電膜とデータバスライン形成用導電膜から形成しそれを電気的に接続させた構成とすることである。
【０１５４】
図１６は本発明に係わる画素電極形成例の説明図である。
本発明による補助バスライン、例えば図１６（ａ）に示す如く、データバスライン２が一定ピッチで形成されたＴＦＴ基板に、ゲートバスライン補修用補助バスライン２１を形成すると、補助バスライン２１に隣接する画素５-1は、他の画素５より幅が狭くなり、明るさのむらが発生する。
【０１５５】
かかる、明るさむらをなくす実施例を、図１６（ｂ）と（ｃ）に示す。
図１６（ｂ）において、補助バスライン２１に隣接しない画素５-2は、補助バスライン２１が隣接する画素５-1に合わせて形成、即ち、ゲートバスライン１とデータバスライン２に囲われた領域を補助バスライン２１が通過しない画素５-2は、画素５-1と同一大きさに形成し、そのことによって前記明るさむらを解消する構成である。
【０１５６】
図１６（ｃ）において、補助バスライン２１は、全てのデータバスライン２に沿って形成し、全てが画素５-1となる構成である。かかる構成において、補助バスライン２１は全てのデータバスライン２に対し補修可能とする。
【０１５７】
なお、図１６はデータバスライン２に対する補助バスライン２１を設けた構成について記載してあるが、かかる構成はゲートバスライン１の補助バスライン、例えば図６の補助バスライン４１を設けたＴＦＴ基板および、ゲートバスライン１とデータバスライン２双方の補助バスライン、例えば図１３の補助バスライン２１と４１を設けたＴＦＴ基板８５についても、同じ方法を適用し明るさむらが解消される。
【０１５８】
【発明の効果】
以上説明したように本発明は、ＴＦＴ基板に、複数本のゲートバスラインと、該ゲートバスラインに交差する複数本のデータバスラインと、該ゲートバスラインとデータバスラインの各交点近傍に配設された複数のＴＦＴと、該ＴＦＴに接続する画素電極が少なくとも形成され、該ゲートバスラインの両端から電圧を供給し駆動される液晶表示装置において、ゲートバスラインまたはデータバスラインまたはゲートバスラインとデータバスライの切断に伴う表示欠陥をなくし、さらに、該表示欠陥をなくすために形成した補助バスラインに伴う明るさむらが、解消される。
【図面の簡単な説明】
【図１】  本発明の第１の実施例における液晶表示パネルのＴＦＴ基板と切断バスライン処理方法の説明図
【図２】  本発明に係わるバスライン等の接続例の説明図
【図３】  補助バスラインを接続したバスラインの等価回路
【図４】  本発明の第２の実施例における液晶表示パネルのＴＦＴ基板と切断バスライン処理方法の説明図
【図５】  本発明の第２の実施例における所要バスライン形成方法の説明図
【図６】  本発明の第２の実施例におけるリペアバスライン接続例の説明図（その１）
【図７】  本発明の第２の実施例におけるリペアバスライン接続例の説明図（その２）
【図８】  本発明の第３の実施例における液晶表示パネルのＴＦＴ基板と切断バスライン処理方法の説明図
【図９】  本発明の第４の実施例における液晶表示パネルのＴＦＴ基板と切断バスライン処理方法の説明図
【図１０】  本発明の第５の実施例における液晶表示パネルのＴＦＴ基板と切断バスライン処理方法の説明図
【図１１】  本発明の第６の実施例における液晶表示パネルのＴＦＴ基板と切断バスライン処理方法の説明図
【図１２】  本発明の第７の実施例における液晶表示パネルのＴＦＴ基板と切断バスライン処理方法の説明図
【図１３】  本発明の第８の実施例における液晶表示パネルのＴＦＴ基板と切断バスライン処理方法の説明図
【図１４】  本発明の第９の実施例における液晶表示パネルのＴＦＴ基板と切断バスライン処理方法の説明図
【図１５】  本発明の第１０の実施例における液晶表示パネルのＴＦＴ基板と切断バスライン処理方法の説明図
【図１６】  本発明に係わる画素電極形成例の説明図
【図１７】  基本的なＴＦＴ基板の要部の説明図
【図１８】  片側駆動方式のＴＦＴ基板の説明図
【図１９】  両側駆動方式のＴＦＴ基板の説明図
【符号の説明】
１  ゲートバスライン
１-1、１-2  切断されたゲートバスライン
２  データバスライン
２-1、２-2  切断されたデータバスライン
５、５-1、５-2  画素電極
１７  ＴＦＴ基板の表示領域を示す二点鎖線
２１、２１-1、２１-2、２１-3、２５-1、２５-2  ゲートバスライン補修用補助バスライン
３１、３１-1、３１-2、３２、３２-1、３２-2、３５-1、３５-2、３６-1、３６-2  リペアバスライン
３２′、３２-1′、３２-1″  第１のリペアバスラインと第２のリペアバスラインの交差部
３３、３３-1、３３-2  第２のリペアバスライン
３４、３４-1、３４-2  第１のリペアバスライン
４１、２６-1、２６-2  データバスライン補修用補助バスライン
８１、８２、８３、８４、８５、８６、８７、９１、９２、９３  ＴＦＴ基板
【図１】
0003970351.tif 000002
【図２】
0003970351.tif 000003
【図３】
0003970351.tif 000004
【図４】
0003970351.tif 000005
【図５】
0003970351.tif 000006
【図６】
0003970351.tif 000007
【図７】
0003970351.tif 000008
【図８】
0003970351.tif 000009
【図９】
0003970351.tif 000010
【図１０】
0003970351.tif 000011
【図１１】
0003970351.tif 000012
【図１２】
0003970351.tif 000013
【図１３】
0003970351.tif 000014
【図１４】
0003970351.tif 000015
【図１５】
0003970351.tif 000016
【図１６】
0003970351.tif 000017
【図１７】
0003970351.tif 000018
【図１８】
0003970351.tif 000019
【図１９】
0003970351.tif 000020